(57)【要約】【課題】グレアを低減すること。【解決手段】実施形態に係る光学部材は、反射部と、出射側屈折部とを備える。反射部は、光源からの光が入射する入射面において光源と対向する位置から離れた外側となる外側領域に形成され、入射された光を反射して配光制御する。出射側屈折部は、入射面の裏面である出射面において入射面から見て外側領域の内側となる内側領域に形成され、入射された光を屈折させて配光制御する。【選択図】図１
2019153474.tif 000002
【特許請求の範囲】
【請求項１】
光源からの光が入射する入射面において前記光源と対向する位置から離れた外側となる外側領域に形成され、入射された光を反射して配光制御する反射部と、
前記入射面の裏面である出射面において前記入射面から見て前記外側領域の内側となる内側領域に形成され、入射された光を屈折させて配光制御する出射側屈折部と
を備える、光学部材。
【請求項２】
前記出射面において、前記入射面における前記光源と対向する位置の周辺に対応する領域に形成される中央平坦面
をさらに備える、請求項１に記載の光学部材。
【請求項３】
前記入射面において、前記出射面における前記中央平坦面に対応する領域に形成される入射側屈折部
をさらに備える、請求項２に記載の光学部材。
【請求項４】
前記内側領域と前記入射側屈折部が形成された領域とが、前記入射面から見て離れている、請求項３に記載の光学部材。
【請求項５】
前記外側領域と前記内側領域とが、前記入射面から見て一部が重なっている、請求項１〜４のいずれか一つに記載の光学部材。
【請求項６】
請求項１〜５のいずれか一つに記載の光学部材と、
前記入射面に向けて光を出射する前記光源と
を備える、照明装置。
【発明の詳細な説明】
【技術分野】
【０００１】
本発明は、光学部材および照明装置に関する。
【背景技術】
【０００２】
従来、照明装置においては、光源からの光が入射する入射面における外側の領域に反射プリズムが形成され、入射面における外側の領域よりも内側の領域に屈折プリズムが形成された、いわゆる複合フレネルレンズが光学部材として用いられることが知られている（例えば、特許文献１参照）。
【先行技術文献】
【特許文献】
【０００３】
【特許文献１】特開２０１１−１７１０８６号公報
【発明の概要】
【発明が解決しようとする課題】
【０００４】
しかしながら、上記したような従来の光学部材および照明装置は、グレア（まぶしさ）について十分に考慮されているとは言えなかった。そこで、本発明の発明者が検討したところ、反射プリズムと屈折プリズムとの境界近傍に存在する反射プリズムおよび屈折プリズムに入射した光が適切に配光制御されず、照明装置が照射する面（以下、照射面という）に向かわない光が発生することがあり、かかる光によりグレアが発生することがわかった。
【０００５】
本発明は、上記に鑑みてなされたものであって、グレアを低減することができる光学部材および照明装置を提供することを目的とする。
【課題を解決するための手段】
【０００６】
上述した課題を解決し、目的を達成するために、本発明の一態様に係る光学部材は、光源からの光が入射する入射面において前記光源と対向する位置から離れた外側となる外側領域に形成され、入射された光を反射して配光制御する反射部と、前記入射面の裏面である出射面において前記入射面から見て前記外側領域の内側となる内側領域に形成され、入射された光を屈折させて配光制御する出射側屈折部とを備える。
【発明の効果】
【０００７】
本発明の一態様によれば、グレアを低減することができる。
【図面の簡単な説明】
【０００８】
【図１】図１は、第１の実施形態に係る光学部材および照明装置の説明図である。
【図２Ａ】図２Ａは、第１の実施形態に係る光学部材を示す概略平面図である。
【図２Ｂ】図２Ｂは、第１の実施形態に係る光学部材を示す概略底面図である。
【図３Ａ】図３Ａは、図２ＡにおけるＡ１−Ａ１断面図である。
【図３Ｂ】図３Ｂは、図３ＡにおけるＡ２部の拡大図である。
【図４Ａ】図４Ａは、図２ＡにおけるＢ１−Ｂ１断面図である。
【図４Ｂ】図４Ｂは、図４ＡにおけるＢ２部の拡大図である。
【図５Ａ】図５Ａは、図２ＡにおけるＣ１−Ｃ１断面図である。
【図５Ｂ】図５Ｂは、図５ＡにおけるＣ２部の拡大図である。
【図６】図６は、照明装置における光の照射角度と光度比との関係を示すグラフである。
【図７Ａ】図７Ａは、図６のＤ部における本例の場合の光の照射角度と強度との関係を示すグラフである。
【図７Ｂ】図７Ｂは、図６のＤ部における比較例の場合の光の照射角度と強度との関係を示すグラフである。
【図８】図８は、第２の実施形態に係る光学部材および照明装置の説明図である。
【図９Ａ】図９Ａは、変形例に係る光学部材を示す概略平面図である。
【図９Ｂ】図９Ｂは、変形例に係る光学部材を示す概略底面図である。
【発明を実施するための形態】
【０００９】
以下、実施形態に係る光学部材および照明装置について図面を参照して説明する。なお、以下で説明する実施形態によりこの発明が限定されるものではない。また、図面は模式的なものであり、各要素の寸法の関係、各要素の比率などは、現実と異なる場合がある。また、図面の相互間においても、互いの寸法の関係や比率が異なる部分が含まれる場合がある。
【００１０】
＜第１の実施形態＞
まず、図１を参照して第１の実施形態に係る光学部材２０および照明装置１の概要を説明する。図１は、第１の実施形態に係る光学部材２０および照明装置１の説明図である。なお、図１には、光学部材２０および照明装置１の側面（一部断面）を示している。図１に示すように、照明装置１は、光源１０と、光学部材２０とを備える。なお、照明装置１は、光源１０および光学部材２０を一体的に覆う反射鏡をさらに備えてもよい。
【００１１】
光源１０は、光学部材２０の後述する入射面２１に向けて光Ｌを出射する。光源１０は、１点から光を出射するいわゆる点光源であり、例えば、ＬＥＤ（Light  Emitting  Diode）である。光源１０は、例えば、ＬＥＤチップなどの発光素子を備え、光Ｌを出射する発光面１１を有する。
【００１２】
光学部材２０は、例えば、透明樹脂（例えばアクリル樹脂）を用いて所定の直径の円板状に形成されたレンズシートである。光学部材２０は、光源１０と対向する面である入射面２１と光源１０の発光面１１との間が所定の距離となるように、光源１０の中心Ｏと対向する位置Ｐを中心として配置される。言い換えると、光学部材２０は、入射面２１の中心と光源１０の光軸ＡＸとを一致させて配置される。
【００１３】
光学部材２０は、入射面２１と、入射面２１の裏面である出射面２２とを備える。入射面２１は、光源１０からの光Ｌが入射する。入射面２１は、反射部２３と、入射側屈折部２４と、平坦面２５とを備える。
【００１４】
反射部２３は、複数の反射プリズム（ＴＩＲ（Total  Internal  Reflection）プリズムともいう）２３ａが、入射面２１から見て、すなわち、平面視で入射面２１の中心となる位置（以下、中心位置という）Ｐから離れた外側となる外側領域Ｒａに、中心位置Ｐを中心として同心円状に形成されたものである。反射部２３は、光源１０からの光Ｌを複数の反射プリズム２３ａがそれぞれ設定された反射角度で反射することで配光制御を行う。なお、反射部２３における反射プリズム２３ａの詳細については、図３Ａおよび図３Ｂを用いて後述する。
【００１５】
入射側屈折部２４は、複数の屈折プリズム（フレネルプリズムともいう）２４ａが平面視（または底面視）で反射部２３が形成された外側領域Ｒａよりも内側となる中心位置Ｐの周辺の円状の領域Ｒｂに、中心位置Ｐを中心として同心円状に形成されたものである。入射側屈折部２４は、光源１０からの光Ｌを複数の屈折プリズム２４ａがそれぞれ設定された屈折角度で屈折させることで配光制御を行う。なお、入射側屈折部２４における屈折プリズム２４ａの詳細については、図４Ａおよび図４Ｂを用いて後述する。
【００１６】
平坦面２５は、反射部２３が形成された外側領域Ｒａと、入射側屈折部２４が形成された領域Ｒｂとの間の円環状の領域に形成される。
【００１７】
光学部材２０は、入射面２１において反射部２３の反射プリズム２３ａと、入射側屈折部２４の屈折プリズム２４ａとを含む同心円状のプリズムパターン、いわゆるＴＩＲ−フレネルパターンを備えることで、光源１０からの光Ｌを、照明装置１の照射面に向けて配光制御することができる。また、光学部材２０は、上記したようなプリズムパターン（ＴＩＲ−フレネルパターン）を備えることで、光Ｌの光量の低下を抑制しつつ配光制御を入射面２１の円周方向に対して均一に行うことができる。
【００１８】
出射面２２は、光源１０から入射面２１に入射された光Ｌが出射する面のうち、光Ｌの大部分が出射する面である。出射面２２は、出射側屈折部２６と、中央平坦面２７と、外側平坦面２８とを備える。
【００１９】
出射側屈折部２６は、複数の屈折プリズム（フレネルプリズムともいう）２６ａが、出射面２２において、入射面２１から見て、すなわち、平面視で反射部２３が形成された外側領域Ｒａと一部が重なりつつ外側領域Ｒａの内側となる内側領域Ｒｃに、入射面２１の中心位置Ｐを中心として同心円状に形成されたものである。出射側屈折部２６は、入射面２１から入射した光Ｌを複数の屈折プリズム２６ａがそれぞれ設定された屈折角度で屈折させることで、光（照明光）Ｌについて配光制御を行う。なお、出射側屈折部２６における屈折プリズム２６ａの詳細については、図５Ａおよび図５Ｂを用いて後述する。
【００２０】
中央平坦面２７は、入射面２１から見て、すなわち、平面視で入射面２１における中心位置Ｐの周辺に対応する領域に形成される。中央平坦面２７が形成された領域は、入射面２１における入射側屈折部２４が形成された領域Ｒｂに対応する。
【００２１】
外側平坦面２８は、出射側屈折部２６が形成された内側領域Ｒｃの外側となる円環状の領域に形成される。
【００２２】
次に、図２Ａおよび図２Ｂを参照して、光学部材２０の入射面２１における反射部２３が形成された外側領域Ｒａや入射側屈折部２４が形成された領域Ｒｂ、光学部材２０の出射面２２における出射側屈折部２６が形成された内側領域Ｒｃの関係についてさらに説明する。
【００２３】
図２Ａは、第１の実施形態に係る光学部材２０を示す概略平面図であり、光学部材２０を入射面２１側から見た図である。図２Ｂは、第１の実施形態に係る光学部材２０を示す概略底面図であり、光学部材２０を出射面２２側から見た図である。なお、図２Ａおよび図２Ｂにおいては、上記した各領域Ｒａ，Ｒｂ，Ｒｃに斜線を付している。
【００２４】
図２Ａに示すように、入射面２１において外側となる外周部は、反射部２３が形成された円環状の外側領域Ｒａとなる。また、入射面２１において外側領域Ｒａよりも内側となる中心位置Ｐの周辺は、入射側屈折部２４が形成された円状の領域Ｒｂとなる。反射部２３が形成された外側領域Ｒａと入射側屈折部２４が形成された領域Ｒｂとの間は、平坦面２５が形成された円環状の領域（平坦領域）となる。
【００２５】
図２Ｂに示すように、出射面２２における外側の領域と内側の領域との間は、出射側屈折部２６が形成された円環状の内側領域Ｒｃとなる。出射面２２において、入射面２１における入射側屈折部２４が形成された領域Ｒｂに対応する領域は、中央平坦面２７が形成された円形の領域（平坦領域）となる。図２Ａおよび図２Ｂに示すように、入射側屈折部２４が形成された領域Ｒｂは、平面視で中央平坦面２７が形成された領域に対応する。反射部２３が形成された外側領域Ｒａは、平面視で外側平坦面２８が形成された領域に対応する。
【００２６】
また、図２Ａおよび図２Ｂに示すように、出射面２２における出射側屈折部２６が形成された内側領域Ｒｃは、平面視で外周部が入射面２１の外側領域Ｒａの内周部と重なっている。また、出射側屈折部２６が形成された内側領域Ｒｃは、内周部が入射面２１における入射側屈折部２４が形成された領域Ｒｂからは離れている。なお、内側領域Ｒｃと入射側屈折部２４が形成された領域Ｒｂとが平面視で連続していてもよい。
【００２７】
次に、図３Ａおよび図３Ｂを参照して入射面２１における反射部２３の反射プリズム２３ａについて説明する。図３Ａは、図２ＡにおけるＡ１−Ａ１断面図である。図３Ｂは、図３ＡにおけるＡ２部の拡大図である。なお、図３Ｂには、反射プリズム２３ａにより反射された光Ｌを例示している。図３Ａに示すように、入射面２１において反射部２３は、複数の反射プリズム２３ａが、入射面２１の外側から内側に向けて連続することで、すなわち、入射面２１の径方向に連続することで、入射面２１に凹凸を形成する。
【００２８】
ここで、図３Ｂに示すように、反射プリズム２３ａは、内側を向いた面２３１ａに入射された光源１０（図１参照）からの光Ｌを、反射プリズム２３ａの内部において外側を向いた反射面２３２ａで、例えば、光軸ＡＸ（図１参照）と平行となる向き、または、入射された光Ｌよりも広がりを抑えつつ外側に広がる向きに反射する。なお、反射プリズム２３ａにより反射する光Ｌの向きはこれらに限定されない。反射プリズム２３ａは、用途に応じて、入射された光Ｌを例えば光軸ＡＸと交差する向きに反射する場合もある。反射面２３２ａの傾斜角度は、例えば、光源１０からの距離や光源１０に対する角度に応じて設定される。なお、傾斜角度とは、入射面２１を０度として、入射面２１からの立ち上がり角度である。
【００２９】
次に、図４Ａおよび図４Ｂを参照して入射面２１における入射側屈折部２４の屈折プリズム２４ａについて説明する。図４Ａは、図２ＡにおけるＢ１−Ｂ１断面図である。図４Ｂは、図４ＡにおけるＢ２部の拡大図である。なお、図４Ｂには、屈折プリズム２４ａにより屈折された光Ｌを例示している。図４Ａに示すように、入射面２１において入射側屈折部２４は、複数の屈折プリズム２４ａが、入射面２１の外側から内側に向けて連続することで、すなわち、入射面２１の径方向に連続することで、入射面２１に凹凸を形成する。
【００３０】
また、入射側屈折部２４の屈折プリズム２４ａは、出射面２２における出射側屈折部２６の屈折プリズム２６ａに対して平面視で所定長さｄ１の間隔をあけて内側に形成される。
【００３１】
ここで、図４Ｂに示すように、屈折プリズム２４ａは、光源１０（図１参照）からの光Ｌを、外側を向いた屈折面２４１ａで、例えば、光軸ＡＸ（図１参照）と平行となる向き、または、入射された光Ｌよりも広がりを抑えつつ外側に広がる向きに屈折させる。なお、屈折プリズムにより屈折させる光Ｌの向きはこれらに限定されない。屈折面２４１ａの傾斜角度は、例えば、中心位置Ｐ（図１参照）からの距離に応じて設定される。なお、屈折プリズム２４ａの内側を向いた面は、屈折プリズム２４ａの機能に寄与しない面である。
【００３２】
ここで、例えば、入射面の外側領域に反射部、入射面の内側領域に屈折部を備え、反射部と屈折部とが連続しているフレネルレンズにおいては、反射部と屈折部との境界近傍に存在する反射プリズムおよび屈折プリズムにおいて配光制御が適切に行われないことがある。すなわち、反射部においては内側の反射プリズムほど、屈折部においては外側の屈折プリズムほど配光制御が適切に行われないことがある。
【００３３】
具体的には、内側の反射プリズムは、光源からの光が外側よりも立った角度、すなわち、光軸の角度（０度）に近づいた角度（光軸を０度として、光軸からの立ち上がり角度）で入射されるため、内側を向いた面から反射プリズム内に入射した光が反射面に入射されずに進行方向が適切に制御されないことがある。また、反射面による光の反射角度の設定が制限されることがある。なお、反射プリズムにおいて、立った角度で入射された光を適切に反射するよう反射面を設定することは困難な場合がある。
【００３４】
また、外側の屈折プリズムは、光源からの光が内側よりも寝た角度、すなわち、光軸の角度（０度）から離れた角度（光軸を０度として、光軸からの立ち上がり角度）で入射されるため、屈折プリズムとして機能しない内側を向いた面に光が入射する可能性が高まる。このように、反射部における内側の反射プリズム、および屈折部における外側の屈折プリズムにおいて適切な配光制御が行われなかった光が、照明装置の照射面に向かわない光、いわゆる漏れ光となる。このため、本実施形態では、グレアの原因と考えられる漏れ光が発生しやすい反射部と屈折部との境界近傍に入射された光Ｌに対応させるよう、光学部材２０の出射面２２に出射側屈折部２６が形成される。出射面に屈折プリズムを設けた場合には、光軸からの立ち上がり角度によらず、屈折面（外側傾斜面）に光を直接入射させることができ、入射面側では漏れ光が発生しやすい立ち上がり角度であっても、配光制御が可能である（すなわち、漏れ光の発生を抑制できる）からである。また、本実施形態では、光学部材２０の入射面２１における外側（外側領域Ｒａ）の反射部２３と内側（領域Ｒｂ）の入射側屈折部２４との間をプリズムが形成されない平坦領域としている。
【００３５】
次に、図５Ａおよび図５Ｂを参照して出射面２２における出射側屈折部２６について説明する。図５Ａは、図２ＡにおけるＣ１−Ｃ１断面図である。図５Ｂは、図５ＡにおけるＣ２部の拡大図である。なお、図５Ａおよび図５Ｂには、屈折プリズム２６ａにより屈折された光Ｌを例示している。図５Ａに示すように、出射面２２において出射側屈折部２６は、複数の屈折プリズム２６ａが、出射面２２の外側から内側に向けて連続することで、すなわち、出射面２２の径方向に連続することで、出射面２２に凹凸を形成する。
【００３６】
出射面２２における出射側屈折部２６（複数の屈折プリズム２６ａ）は、平面視で入射面２１における反射部２３の内側に形成される。また、本実施形態では、出射面２２における出射側屈折部２６（複数の屈折プリズム２６ａ）は、平面視で入射面２１における反射部２３の内周部に対して外周部が所定長さｄ２だけ重なっている。反射部２３が形成された外側領域Ｒａ（図１参照）と出射側屈折部２６が形成された内側領域Ｒｃ（図１参照）とが、互いに一部が重なっていることで、図５Ａに示すように、反射部２３や入射側屈折部２４により配光制御されなかった光Ｌ、すなわち、反射部２３の内側の平坦領域（平坦面２５）を通過してきた光Ｌを出射側屈折部２６の屈折プリズム２６ａで捕捉して配光制御することができる。
【００３７】
ここで、図５Ｂに示すように、屈折プリズム２６ａは、外側傾斜面２６１ａと、内側傾斜面２６２ａとを備える。外側傾斜面２６１ａは、出射面２２の外側を向いて傾斜した面である。内側傾斜面２６２ａは、出射面２２の内側を向いて傾斜した面である。なお、内側傾斜面２６２ａは、屈折プリズム２６ａの機能に寄与しない面でもある。
【００３８】
複数の屈折プリズム２６ａにおいて、例えば、外側傾斜面２６１ａの傾斜角度は、入射面２１の中心位置Ｐ（図２Ａおよび２Ｂ参照）に最も近接した外側傾斜面２６１ａが出射面２２に対して最も小さくなるように設定され、中心位置Ｐから離れるほど大きくなるように設定される。すなわち、外側傾斜面２６１ａの傾斜角度は、中心位置Ｐから最も離れた外側傾斜面２６１ａが出射面２２に対して最も大きい傾斜角度となる。
【００３９】
また、複数の屈折プリズム２６ａにおいて、内側傾斜面２６２ａの傾斜角度は、全てが同じ傾斜角度に設定される。ただし、入射面２１の中心位置Ｐ（図２Ａおよび図２Ｂ参照）に最も近接した内側傾斜面２６２ａが、出射面２２に対して直角を含み最も大きくなるように設定され、中心位置Ｐから離れるほど小さくなるように設定されてもよい。すなわち、内側傾斜面２６２ａの傾斜角度は、中心位置Ｐから最も離れた内側傾斜面２６２ａが出射面２２に対して最も小さい傾斜角度としてもよい。
【００４０】
屈折プリズム２６ａは、例えば、反射プリズム２３ａ（図５Ａ参照）を通過しなかった光（平坦面２５を通過した光）Ｌを、外側傾斜面２６１ａで屈折させて有効光Ｌ１として照射面に向かうように配光制御する。この場合、上記した設定により、図中の二点破線で例示するように、外側傾斜面２６１ａを通過した光Ｌ２が隣接する屈折プリズム２６ａの内側傾斜面２６２ａに入射して漏れ光となることを抑制することができる。
【００４１】
次に、図６〜図７Ｂを参照して照明装置１（光学部材２０）における光学特性について説明する。図６は、照明装置１における光の照射角度と光度比との関係を示すグラフである。図７Ａは、図６のＤ部における本例の場合の光の照射角度と強度との関係を示すグラフである。図７Ｂは、図６のＤ部における比較例の場合の光の照射角度と強度との関係を示すグラフである。
【００４２】
図６に示すように、例えば、照明装置１（光学部材２０）から出射された光（以下、照明光という）は、例えば、照射角度が０度の位置、すなわち、照射面の中心位置において光度比が約１００％となり最も高く、照射角度が±９０度程度の位置になると光度比が約０％となる。
【００４３】
ここで、上記したように、光学部材２０から出射される光のうち照射面に向かわない光（漏れ光）が発生すると、照明光を、例えば利用者が漏れ光の方向から見た場合にはまぶしさを感じることがある。これをグレアという。
【００４４】
図７Ａに示すように、本例（本実施形態）の場合、照明光は、照射角度が大きくなっても光の強度（放射強度）が再び高くなることはない。これに対し、図７Ｂに示すように、本例の構成を備えない複合フレネルレンズなどを用いた比較例の場合は、照明光が、例えば照射角度が４０度あたりの位置で光の強度が高くなり、この方向から見た利用者はまぶしさを感じることがある。
【００４５】
第１の実施形態に係る光学部材２０によれば、漏れ光Ｌ２が発生しやすい位置に対応させて出射面２２に（配光制御を行いやすい）出射側屈折部２６（屈折プリズム２６ａ）が形成されるため、出射面２２において確実に配光制御を行うことができ、漏れ光Ｌ２の発生を抑えることができる。そして、漏れ光Ｌ２を抑えることで、グレアを低減することができる。例えば、入射面２１において反射部と屈折部とが連続しているような場合、反射部と屈折部との境界近傍において漏れ光Ｌ２が発生しやすいが、第１の実施形態に係る光学部材２０によれば、かかる位置に対応させて配光制御を行うことができる。また、第１の実施形態に係る光学部材２０によれば、入射面２１における反射部２３と入射側屈折部２４との間が平坦領域（平坦面２５）であり出射面２２における平坦面２５に対応する領域（内側領域Ｒｃ）に出射側屈折部２６が形成されるため、平坦面２５を通過してきた光Ｌを捕捉して配光制御を行うことができる。
【００４６】
また、この場合、グレアが発生しやすい位置を特定して出射側屈折部２６が形成されることから光学特性に与える影響も小さいため、光学特性の低下を抑えつつグレアを低減することができる。
【００４７】
また、出射面２２の中央領域（入射面２１の中心位置Ｐの周辺に対応する領域）が中央平坦面２７による平坦領域であることから、入射面２１の外側領域Ｒａにおいて光Ｌの損失の大きな内周部に対応する位置にだけ出射側屈折部２６が形成されることになるため、光学特性に与える影響を小さくなるように抑えることができる。これにより、光学特性の低下を抑えつつグレアを低減することができる。
【００４８】
また、上記したように、外側領域Ｒａと内側領域Ｒｃとの一部が重なっていることで、入射面２１において反射部２３の内側の平坦領域（平坦面２５）を通過してきた光Ｌ、すなわち、反射部２３や入射側屈折部２４により配光制御されなかった光Ｌを出射側屈折部２６の屈折プリズム２６ａで捕捉して配光制御することができる。
【００４９】
また、入射側屈折部２４が形成された領域Ｒｂと出射側屈折部２６が形成された内側領域Ｒｃとが平面視で離れていても、入射側屈折部２４が形成された領域Ｒｂと出射側屈折部２６が形成された内側領域Ｒｃとの間を通過してきた光Ｌを、出射側屈折部２６で捕捉して配光制御することができる。
【００５０】
また、入射面２１に入射側屈折部２４が形成されることで、例えば、入射面２１に反射部２３だけが形成された場合と比較して高い光学特性（具体的には、高照度で強度の均一性にも優れるといった特性）を得ることができる。
【００５１】
また、第１の実施形態に係る照明装置１によれば、上記した光学部材２０を備えることで、光学特性の低下を抑えつつグレアを低減することができる。
【００５２】
なお、上記した第１の実施形態では、光学部材２０の平面視において入射側屈折部２４が形成された領域Ｒｂと出射側屈折部２６が形成された内側領域Ｒｃとを所定長さｄ１の間隔をあけた構成としたが、例えば、平面視で入射側屈折部２４が形成された領域Ｒｂと内側領域Ｒｃとを連続させた構成としてもよい。かかる構成としても、出射面２２の出射側屈折部２６が機能して光学特性の低下を抑えつつグレアを低減することができる。
【００５３】
また、上記した第１の実施形態では、出射面２２において、入射面２１の外側領域Ｒａの内周部に対して外周部が重なりつつ外側領域Ｒａよりも内側に出射側屈折部２６が形成された内側領域Ｒｃがある構成としたが、例えば、出射面２２の全面に出射側屈折部２６が形成されてもグレアを低減することができる。
【００５４】
＜第２の実施形態＞
次に、図８を参照して第２の実施形態に係る光学部材３０および照明装置１００について説明する。図８は、第２の実施形態に係る光学部材３０および照明装置１００の説明図である。なお、以下で説明する第２の実施形態において、上記した第１の実施形態と同一または同等の箇所には同一の符号を付して説明を省略している場合がある。
【００５５】
図８に示すように、照明装置１００において光学部材３０は、入射面３１と、出射面３２とを備える。入射面３１は、反射部３３と、平坦面３４とを備える。反射部３３は、複数の反射プリズムが、光学部材３０を入射面３１から見て、すなわち、平面視で入射面２１の中心位置Ｐから離れた外側となる円環状の外側領域Ｒａに、中心位置Ｐを中心として同心円状に形成されたものである。反射部３３は、光源１０からの光Ｌを、設定された反射角度で反射することで配光制御を行う。
【００５６】
平坦面３４は、反射部３３が形成された外側領域Ｒａよりも内側となる円状の領域に形成される。
【００５７】
出射面３２は、出射側屈折部３５と、外側平坦面３６とを備える。出射側屈折部３５は、出射面３２において、平面視（または底面視）で反射部３３が形成された外側領域Ｒａと一部が重なりつつ外側領域Ｒａの内側となる円形の内側領域Ｒｄに、入射面３１の中心位置Ｐを中心として同心円状に形成されたものである。なお、出射側屈折部３５が形成された内側領域Ｒｄは、外側領域Ｒａに対して平面視で重なっていなくてもよい。外側平坦面３６は、出射側屈折部３５の外側となる円環状の領域に形成される。
【００５８】
第２の実施形態に係る光学部材３０によれば、漏れ光が発生しやすい位置に対応する領域を含むように出射面３２に出射側屈折部３５が形成されるため、出射面３２において配光制御を行うことができ、漏れ光の発生を抑えることができる。また、漏れ光を抑えることで、グレアを低減することができる。
【００５９】
また、第２の実施形態に係る光学部材３０においても、外側領域Ｒａと内側領域Ｒｄとの一部が重なっていることで、入射面３１において反射部３３の内側の平坦領域（平坦面３４）を通過してきた光Ｌ、すなわち、反射部３３により配光制御されなかった光Ｌを出射側屈折部３５の屈折プリズムで捕捉して配光制御することができる。
【００６０】
また、第２の実施形態に係る照明装置１００によれば、上記した光学部材３０を備えることで、光学特性の低下を抑えつつグレアを低減することができる。
【００６１】
＜光学部材の変形例＞
次に、図９Ａおよび図９Ｂを参照して光学部材の変形例（光学部材４０）について説明する。図９Ａは、変形例に係る光学部材４０を示す概略平面図であり、光学部材４０を入射面４１側から見た図である。図９Ｂは、変形例に係る光学部材４０を示す概略底面図であり、光学部材４０を出射面２２側から見た図である。
【００６２】
なお、図９Ａおよび図９Ｂにおいては、入射面４１における反射部４３や入射側屈折部４４が形成された領域、出射面４２における出射側屈折部４６が形成された領域に斜線を付している。
【００６３】
図９Ａおよび図９Ｂに示すように、変形例に係る光学部材４０は、入射面４１における反射部（複数の反射プリズム）４３や入射側屈折部（複数の屈折プリズム）４４、出射面４２における出射側屈折部（複数の屈折プリズム）４６が平行直線状に形成された、いわゆるリニアフレネルレンズである。
【００６４】
図９Ａに示すように、入射面４１は、反射部４３と、入射側屈折部４４と、平坦面４５とを備える。反射部４３は、入射面４１の外側となる外側領域において、中心位置Ｐを中心として図中の例えば左右方向に対称に形成されたものである。入射側屈折部４４は、反射部４３よりも内側の領域において、中心位置Ｐを含み、中心位置Ｐを中心として図中の例えば左右方向に対称に形成されたものである。
【００６５】
平坦面４５は、反射部４３が形成された外側領域と入射側屈折部４４が形成された領域との間の領域に形成される。すなわち、かかる領域は平坦領域となる。
【００６６】
図９Ｂに示すように、出射面４２は、出射側屈折部４６と、中央平坦面４７と、外側平坦面４８とを備える。出射側屈折部４６は、光学部材４０を入射面４１から見て、すなわち、平面視で入射面４１における反射部４３の外側領域と一部が重なりつつ外側領域の内側となる内側領域に形成されたものである。また、出射側屈折部４６が形成された内側領域は、入射面４１における入射側屈折部４４が形成された領域からは離れている。なお、出射側屈折部４６が形成された内側領域は、反射部４３が形成された外側領域に対して平面視（または底面視）で重なっていなくてもよく、出射側屈折部４６が形成された内側領域は、入射面４１における入射側屈折部４４が形成された領域から連続していてもよい。
【００６７】
中央平坦面４７は、入射面４１における入射側屈折部４４が形成された領域と対応する領域に形成される。すなわち、かかる領域は平坦領域となる。外側平坦面４８は、出射側屈折部４６の外側の領域に形成される。すなわち、かかる領域も平坦領域となる。
【００６８】
変形例に係る光学部材４０によれば、漏れ光が発生しやすい位置に対応させて出射面４２に出射側屈折部４６が形成されるため、出射面４２において配光制御を行うことができ、漏れ光の発生を抑えることができる。また、漏れ光を抑えることで、グレアを低減することができる。
【００６９】
また、変形例に係る光学部材４０においても、グレアが発生しやすい位置を特定して出射側屈折部４６が形成されることから光学特性に与える影響も小さいため、光学特性の低下を抑えつつグレアを低減することができる。
【００７０】
なお、変形例に係る光学部材４０を備えた照明装置の場合、光源としては、上記した第１および第２の実施形態と同様の点光源であってもよいし、反射部４３や各屈折部４４，４６のプリズムの延伸方向に延びた線状光源であってもよい。
【００７１】
また、上記の実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【００７２】
１  照明装置、１０  光源、２０  光学部材、２１  入射面、２２  出射面、２３  反射部、２４  入射側屈折部、２６  出射側屈折部、２７  中央平坦面、Ｌ  光、Ｐ  位置、Ｒａ  外側領域、Ｒｂ  領域、Ｒｃ  内側領域
【図１】
2019153474.tif 000003
【図２Ａ】
2019153474.tif 000004
【図２Ｂ】
2019153474.tif 000005
【図３Ａ】
2019153474.tif 000006
【図３Ｂ】
2019153474.tif 000007
【図４Ａ】
2019153474.tif 000008
【図４Ｂ】
2019153474.tif 000009
【図５Ａ】
2019153474.tif 000010
【図５Ｂ】
2019153474.tif 000011
【図６】
2019153474.tif 000012
【図７Ａ】
2019153474.tif 000013
【図７Ｂ】
2019153474.tif 000014
【図８】
2019153474.tif 000015
【図９Ａ】
2019153474.tif 000016
【図９Ｂ】
2019153474.tif 000017